(57)【特許請求の範囲】
【請求項１】
分電盤の取付姿勢において分岐ブレーカの下方に位置し、所定間隔を開けて前後に配される複数の主幹バーと、前記分岐ブレーカの入力端子を前記主幹バーの何れかと選択的にネジ止め接続可能な分岐バーとを備える一方、前記主幹バー間の隙間に、前記分岐バーをネジ止めするネジを捕捉可能な非導電性の受け皿を設けてなる分電盤のネジ落下防止構造。
【請求項２】
分岐バーが、分岐ブレーカの入力端子への結合部を軸として回転させることで主幹バーを選択可能なものにあっては、前記分岐バーの下方に前記回転中心と同軸の軸部を延設する一方、受け皿に、前記軸部を回動可能に軸支する軸支部を形成した請求項１に記載の分電盤のネジ落下防止構造。
【請求項３】
受け皿に、ネジの頭部の通過を阻止しネジ部のみが遊挿可能な複数の捕捉孔を穿設した請求項１又は２に記載の分電盤のネジ落下防止構造。
【発明の詳細な説明】
【０００１】
【発明の属する技術分野】
本発明は、分電盤において電圧切替作業時に用いるネジの落下を防止する構造に関する。
【０００２】
【従来の技術】
分電盤において、各分岐ブレーカへの電圧の供給は、分岐ブレーカの入力端子を、分岐バーによって複数の主幹バーの何れかと選択的に接続することで、１００Ｖ又は２００Ｖに切替可能となっている。図４はその切替構造を示すもので、２は、分電盤の取付姿勢において分岐ブレーカ１、１・・の下方で横方向に配置されるＳ相主幹バー、３，３・・はＳ相主幹バー２の奥側で間隔をおいて直交状に配置されるＴ相主幹バーで、Ｓ相主幹バー２にはネジ孔５を設けた連結片４，４・・が、各Ｔ相主幹バー３の先端にはネジ孔６が夫々形成されている。又、分岐バー７は、両端部を互い違いの方向へ直角に折曲させたプレートで、一端部には、透孔９を穿設した取付片８が形成され、他端部には、分岐ブレーカ１の入力端子に差し込み結合可能な結合片１０が上下方向に延設されている。即ち、分岐バー７は、入力端子に差し込んだ結合片１０を中心に回転させることで、取付片８を、Ｓ相主幹バー２における連結片４のネジ孔５とＴ相主幹バー３のネジ孔６とに選択的に合致可能となっており、ネジ孔５を選択してネジ１１でネジ止めすることで供給電圧を１００Ｖに（図４（Ａ））、ネジ孔６を選択してネジ１１でネジ止めすることで供給電圧を２００Ｖに（図４（Ｂ）の左側の分岐バー７）切替可能となる。
【０００３】
【発明が解決しようとする課題】
よって、供給電圧を１００Ｖから２００Ｖに切り替える場合やその逆の場合は、分岐バー７の回転に伴ってネジ１１を同図（Ａ）のように一旦取り外して、再び同図（Ｂ）のようにネジ締めする作業が必要となるが、このネジ締め作業の際にネジ１１を誤って落としてしまうことがある。通常分電盤は天井近くの高所へ取り付けられるため、ネジ１１がそのまま地面等へ落下すると、作業者は脚立等から降りてネジ１１を探す煩わしさが生じ、或いは地面に落ちなくてもＳ相主幹バー２とＴ相分岐バー３との隙間から分電盤の充電部に入り込んだりすると、短絡や故障の原因となる上、分電盤自体を分解しなければネジ１１を取り出すことができず、非常な手間となってしまう。
【０００４】
そこで、請求項１に記載の発明は、電圧切替作業時におけるネジの落下を効果的に防止して作業性を向上させることができる分電盤のネジ落下防止構造を提供することを目的としたものである。
【０００５】
【課題を解決するための手段】
上記目的を達成するために、請求項１に記載の発明は、分電盤の取付姿勢において分岐ブレーカの下方に位置し、所定間隔を開けて前後に配される複数の主幹バーと、分岐ブレーカの入力端子を主幹バーの何れかと選択的にネジ止め接続可能な分岐バーとを備える一方、主幹バー間の隙間に、分岐バーをネジ止めするネジを捕捉可能な非導電性の受け皿を設けてなるものである。
請求項２に記載の発明は、請求項１の目的に加えて、受け皿を利用して電圧切替に伴う分岐バーの位置決めを迅速且つ確実に行うために、分岐バーが、分岐ブレーカの入力端子への結合部を軸として回転させることで主幹バーを選択可能なものにあっては、分岐バーの下方に回転中心と同軸の軸部を延設する一方、受け皿に、軸部を回動可能に軸支する軸支部を形成したものである。
請求項３に記載の発明は、請求項１又は２の目的に加えて、受け皿に落下したネジを確実に捕捉するために、受け皿に、ネジの頭部の通過を阻止しネジ部のみが遊挿可能な複数の捕捉孔を穿設したものである。
【０００６】
【発明の実施の形態】
以下、本発明の実施の形態を図面に基づいて説明する。
図１は、分電盤におけるネジの落下防止構造を示す斜視図で、分岐ブレーカ１を初めとして、Ｓ相主幹バー２及びＴ相主幹バー３、分岐バー７、そしてネジ１１等、従来技術で説明した構造と同じ符号を付したものは同じ部品及び機能を有するため、重複する説明は省略する。
１２は受け皿で、非導電性材料で形成され（ここでは合成樹脂の一体成形品）、図２にも示す如く、Ｓ相主幹バー２とＴ相主幹バー３との間隔に丁度収まるプレート状の皿部１３と、その皿部１３の長手方向の側縁全長に亘って直角に延設される連結部１４とからなる。皿部１３には、短手方向の幅が、ネジ１１の頭部１１ａの直径よりも小さく、ネジ部１１ｂの直径よりも大きい長方形の捕捉孔１５，１５・・が整列状態で形成され、連結部１４には、所定の間隔をおいてＬ字状の一対の係止片１６，１６が突設されている。この係止片１６は、Ｌ字状の先端が互いに外側へ向くように皿部１３と平行に形成されると共に、その先端外方を傾斜状に形成している。一方、Ｓ相主幹バー２には、係止片１６，１６と同間隔で透孔１７，１７が穿設されている。
【０００７】
以上の如く構成されたネジ落下防止構造においては、受け皿１２の係止片１６，１６をＳ相主幹バー２の透孔１７，１７にあてがって押し込むと、係止片１６，１６の弾性と先端の傾斜形状のガイドとによって、係止片１６，１６が夫々互いの内方側に撓んで透孔１７，１７を貫通し、そのままＬ字状先端が抜け止め状態となって連結部１４がＳ相主幹バー２の裏面に取り付けられる。よって、分電盤を壁等に取り付けた状態では、図１（Ａ）のように皿部１３がＳ相主幹バー２とＴ相主幹バー３との隙間を塞ぐ格好で水平に位置するため、例えば電圧切替作業に伴って、分岐バー７の取付片８をＳ相主幹バー２の連結片４から図１（Ｂ）のようにＴ相主幹バー３のネジ孔６へ付け替える際に、誤ってネジ１１を落とすようなことがあっても、皿部１３によってネジ１１が捕捉され、更に下方への落下が防止される。
【０００８】
このように上記形態によれば、Ｓ相主幹バー２とＴ相主幹バー３との間にネジ１１を捕捉可能な受け皿１２を設けたことで、ネジ１１が地面に落下したり、Ｓ相主幹バー２とＴ相主幹バー３との間から充電部に入り込んで短絡や故障を招いたりするおそれがなくなる。よって、電圧切替作業が安全且つ良好な作業性で実施可能となる。
又、ここでは、皿部１３に、幅がネジ１１の頭部１１ａの直径よりも小さく、ネジ部１１ｂの直径よりも大きい捕捉孔１５が形成されて、頭部１１ａの通過を阻止してネジ部１１ｂの遊挿を許容しているから、皿部１３に落下したネジ１１のネジ部１１ｂが捕捉孔１５に遊挿することでネジ１１を確実に捕捉でき、ネジ１１が皿部１３から転がり落ちるおそれを解消している。
【０００９】
尚、受け皿１２は、分岐ブレーカ１の数及びＳ相主幹バー２の長さに応じて複数個連続して取り付けても良いし、Ｓ相主幹バー２への取付構造も、上記係止片１６によるものに限らず、単純な突起の圧入やネジ止め等を採用して差し支えない。又、取付をＴ相主幹バー３に対して行ったり、両主幹バーに夫々連結させたりすることも可能である。
一方、皿部１３へ設ける捕捉孔１５の数や形状も、ネジ１１の落下を防止できるものであれば正方形や円形等に適宜変更可能で、逆に捕捉孔１５をなくして皿部を所定深さのある箱状とすることで、落下したネジの捕捉を図ることもできる。
【００１０】
更に、受け皿は、図３に示すような変更も可能である。これは、皿部１３において、電圧切替に伴う分岐バー７の結合片１０の回転中心延長上に軸支部としてのパイプ１８を同軸で設ける一方、分岐バー７における結合片１０の反対側に、結合片１０と同一直線上の軸部１９を延設したもので、軸部１９をパイプ１８に差し込んだ状態で分岐バー７が支持されることで、電圧切替に伴う分岐バー７の回転を容易にして取付片８をＳ相主幹バー２側のネジ孔５又はＴ相主幹バー３側のネジ孔６へ迅速且つ確実に位置決めすることができる。
【００１１】
【発明の効果】
請求項１に記載の発明によれば、主幹バー間の隙間に分岐バーをネジ止めするネジを捕捉可能な非導電性の受け皿を設けたことで、ネジが地面に落下したり、主幹バーの間から充電部に入り込んで短絡や故障を招いたりするおそれがなくなる。よって、電圧切替作業が安全且つ良好な作業性で実施可能となる。
請求項２に記載の発明によれば、請求項１の効果に加えて、分岐バーが、分岐ブレーカの入力端子への結合部を軸として回転させることで主幹バーを選択可能なものにあっては、分岐バーの下方に回転中心と同軸の軸部を延設する一方、受け皿に、軸部を回動可能に軸支する軸支部を形成したことで、受け皿を利用して電圧切替に伴う分岐バーの位置決めを迅速且つ確実に行うことができる。
請求項３に記載の発明によれば、請求項１又は２の効果に加えて、受け皿に、ネジの頭部の通過を阻止しネジ部のみが遊挿可能な複数の捕捉孔を穿設したことで、受け皿に落下したネジを確実に捕捉して、ネジが受け皿から転がり落ちるおそれを解消可能となる。
【図面の簡単な説明】
【図１】（Ａ）ネジ落下防止構造を示す斜視図である。
（Ｂ）電圧切替に伴う分岐バーの取付位置の変更を示す斜視図である。
【図２】受け皿の斜視図である。
【図３】受け皿の変更例を示す斜視図である。
【図４】（Ａ）従来の電圧切替構造を示す斜視図である。
（Ｂ）従来の電圧切替構造を示す斜視図である。
【符号の説明】
１・・分岐ブレーカ、２・・Ｓ相主幹バー、３・・Ｔ相主幹バー、４・・連結片、５，６・・ネジ孔、７・・分岐バー、８・・取付片、１０・・結合片、１１・・ネジ、１２・・受け皿、１３・・皿部、１４・・連結部、１５・・捕捉孔、１６・・係止片、１７・・透孔、１８・・パイプ、１９・・軸部。
【図１】
0004472864.tif 000002
【図２】
0004472864.tif 000003
【図３】
0004472864.tif 000004
【図４】
0004472864.tif 000005